(57)【要約】【課題】  各ゴルフ場のグリーンの芝などの状況に合わせてクラブヘッドの重心位置を選択的に前後移動できるゴルフパターを得ること。【解決手段】  ゴルフパター１のクラブヘッド２がクラブフェース部２１とクラブフェース部２１の後面中央から後方に延びるヘッド本体２３とを備える。ヘッド本体２２には上面に前後方向に延びる摺動溝２２ａを形成すると共に、該摺動溝２２ａにネック体４を有する摺動体２６を摺動可能に支持し、かつ、ヘッド本体２２と摺動体２６とに摺動体２６をヘッド本体２２の任意の摺動位置で固定してクラブヘッドの重心位置を前後に変更する固定手段Ｒを設けた。【選択図】  図６
0003118135.tif 000002
【実用新案登録請求の範囲】
【請求項１】
クラブヘッドとシャフトとこれらクラブヘッドとシャフトとを連結するネック体とを備えたゴルフパターにおいて、クラブヘッドがクラブフェース部と、クラブフェース部の後面中央から後方に延びるヘッド本体とを備えると共に、ヘッド本体にはその上面に前後方向に延びる摺動溝が形成されて、該摺動溝にネック体を備える摺動体が摺動可能に支持され、かつ、ヘッド本体と摺動体とに摺動体をヘッド本体の任意の摺動位置で固定してクラブヘッドの重心位置を前後に変更する固定手段が設けられていることを特徴とするゴルフパター。
【請求項２】
固定手段として、摺動体における底部で前後方向に延びる中心線上に三つのネジ穴が所定間隔をおいて配設されると共に、ヘッド本体の前後方向中間部にその底部から摺動溝側に突出する一つの固定ボルトが設けられ、該固定ボルトの上記ネジ穴のいずれかへのねじ込みにより摺動体のヘッド本体に対する固定位置を前後三段に変更可能に固定できるよう構成されていることを特徴とする請求項１に記載のゴルフパター。
【請求項３】
固定手段として、ヘッド本体の摺動溝を断面蟻溝形状に形成すると共に、摺動体を上記摺動溝に沿って摺動する断面蟻溝形状に形成し、かつ、ヘッド本体の前後方向中間部に底面側からのネジ込みにより摺動体を摺動溝の内側壁に圧接して固定する締付ボルトを備えていることを特徴とする請求項１に記載のゴルフパター。
【考案の詳細な説明】
【技術分野】
【０００１】  本考案は、クラブヘッドとシャフトとこれらクラブヘッドとシャフトとを連結するネック体とを備えたゴルフパターに関する。
【背景技術】
【０００２】  従来、ゴルフパターとして、例えばスイートエリアを外れてボールを打った場合でも、クラブヘッドの重心を中心に回転しようとする力を抑制し、クラブヘッドが回転しないようにするものとして、図１１及び図１２に示すようにネック体ＡがクラブヘッドＢの後部一端側からクラブヘッドＢのクラブフェース面Ｃとほぼ垂直となるように後方上部に湾曲して延び、その後クラブヘッドＢの上部前方に至る形状とし、このネック体Ａの上端における立上部ＤにシャフトＥの下端部を連結した構成のものが知られている（例えば、特許文献１参照。）。
【特許文献１】    特開２００２−２３９０４６  公報
【考案の開示】
【考案が解決しようとする課題】
【０００３】  ところが、上記したゴルフパターによれば、クラブヘッドＢが平面視横長の角棒状で、その一端部にネック体Ａが取り付けられる構造上、重心深度が浅めでヘッド重量も軽く、そのため、ボールの転がり性が悪くてパターそのものによる距離感が出しづらく、常にプレーヤーの熟練したタッチで距離感を出していかねばならないものであり、しかも、各ゴルフ場のグリーンの芝などの状況に合わせてクラブヘッドの重心位置を最適な位置に前後移動させるといったことはできないものであった。【０００４】  そこで、本考案はクラブヘッドの重心深度が深めでヘッド重量を重くして、ボールの転がりを良くすることができながら、しかも、各ゴルフ場のグリーンの芝などの状況に合わせて迅速容易にクラブヘッドの重心位置を選択的に前後移動できるゴルフパターの提供を課題とする。
【課題を解決するための手段】
【０００５】  上記した問題を解決するために、本願の請求項１に記載の考案は、クラブヘッドとシャフトとこれらクラブヘッドとシャフトとを連結するネック体とを備えたゴルフパターにおいて、クラブヘッドがクラブフェース部と、クラブフェース部の後面中央から後方に延びるヘッド本体とを備えると共に、ヘッド本体にはその上面に前後方向に延びる摺動溝が形成されて、該摺動溝にネック体を備える摺動体が摺動可能に支持され、かつ、ヘッド本体と摺動体とに摺動体をヘッド本体の任意の摺動位置で固定してクラブヘッドの重心位置を前後に変更する固定手段が設けられていることを特徴とする。【０００６】  また、本願の請求項２に記載の考案は、上記請求項１に記載の構成における固定手段として、摺動体における底部で前後方向に延びる中心線上に三つのネジ穴が所定間隔をおいて配設されると共に、ヘッド本体の前後方向中間部にその底部から摺動溝側に突出する一つの固定ボルトが設けられ、該固定ボルトの上記ネジ穴のいずれかへのねじ込みにより摺動体のヘッド本体に対する固定位置を前後三段に変更可能に固定できるよう構成されていることを特徴とする。【０００７】  また、本願の請求項３に記載の考案は、上記請求項１に記載の構成における固定手段として、ヘッド本体の摺動溝を断面蟻溝形状に形成すると共に、摺動体を上記摺動溝に沿って摺動する断面蟻溝形状に形成し、かつ、ヘッド本体の前後方向中間部に底面側からのネジ込みにより摺動体を摺動溝の内側壁に圧接して固定する締付ボルトを備えていることを特徴とする。
【考案の効果】
【０００８】  本考案のゴルフクラブのパターによれば、たとえば平面視Ｔ字型のクラブヘッドで、ネック体がクラブヘッドの上部中央の後方部に取付けられる構造であるから、重心深度が深めでヘッド重量も重めであり、そのため、クラブヘッドが前に出やすく、つまりインパクト時に重心は未だ後に残っているのでクラブヘッドがインパクト後前に動く分ボールの転がりがよくなる。したがって、プレーヤーの高度なタッチを必要とすることなく、パターそのものにより仕事をさせることが可能となる。しかも、ヘッド本体には上面に前後方向に延びる摺動溝が形成されて、該摺動溝にネック体を備える摺動体が摺動可能に支持され、かつ、ヘッド本体と摺動体とに摺動体をヘッド本体の任意の摺動位置で固定してクラブヘッドの重心位置を前後に変更する固定手段が設けられているから、固定手段を解除して摺動体のヘッド本体に対する固定位置を変更することにより、クラブヘッドの重心位置を前後に変更することができる。これにより、各ゴルフ場のグリーンの芝の状況などによって、クラブヘッドの重心位置を前後に変更して最適な打ち方を選択することができる。【０００９】  また、固定手段として、摺動体における底部で前後方向に延びる中心線上に三つのネジ穴が所定間隔をおいて配設されると共に、ヘッド本体の前後方向中間部にその底部から摺動溝側に突出する一つの固定ボルトが設けられ、該固定ボルトの上記ネジ穴のいずれかへのねじ込みにより摺動体のヘッド本体に対する固定位置を前後三段に変更可能に固定できるように構成すれば、摺動体のヘッド本体に対する固定位置の選択変更により、クラブヘッドの重心位置を前後三段に変更することができる。これにより、各ゴルフ場のグリーンの芝の状況などによって、クラブヘッドの重心位置を前後三段に変更して３通りの打ち方の中から最適な打ち方を選択することができる。【００１０】  さらに、固定手段として、ヘッド本体の摺動溝が断面蟻溝形状に形成されていると共に、摺動体が上記摺動溝に沿って摺動する断面蟻溝形状に形成され、かつ、ヘッド本体の前後方向中間部に底面側からのネジ込みにより摺動体を摺動溝の内側壁に圧接して固定する締付ボルトを備える構成とすれば、摺動体のヘッド本体に対する固定位置を無段階に変更することができ、クラブヘッドの重心位置を前後無段階に変更することができる。これにより、各ゴルフ場のグリーンの芝の状況などによって、クラブヘッドの重心位置を前後無段階に変更してより繊細なクラブヘッドの重心位置の設定を選択することができる。その上、摺動体のヘッド本体に対する固定位置の変更作業は締付ボルトを緩めて摺動体を摺動溝に沿って摺動させその後締付ボルトを締め付けるだけでよいので、簡単容易にかつ迅速に行うことができる。
【考案を実施するための最良の形態】
【００１１】  以下、本考案の実施の形態を図に基づいて説明する。
図１〜図５は本考案のゴルフパターを示すもので、該パター１は、図１及び図２に示すようにクラブヘッド２とシャフト３とこれらクラブヘッド２とシャフト３とを連結するネック体４とを備えている。【００１２】  クラブヘッド２は図３及び図５に示すようにクラブフェース部２１とクラブフェース部２１の後面中央から後方に一体的に延びるヘッド本体２２とを備え、全体として平面視Ｔ字状を呈している。クラブフェース部２１の上部中央には、中間目印２３が設けられており、また、クラブフェース部２１の両側後面からヘッド本体の側面後部に延びる適宜重さで円弧状のバランスブリッジ２４，２４が取け付けられている。また、クラブフェース部２１の中心部には、芯材となる例えばタングステンなどの３連ウェート２５が埋設されている。【００１３】  そして、ヘッド本体２２には、図４及び図６に示すように上面に前後方向に延びる断面蟻溝形状の摺動溝２２ａが形成されて、該摺動溝２２ａにネック体４の取付基部４１が固定される断面蟻溝形状の摺動体２６が摺動可能に支持され、かつ、ヘッド本体２２と摺動体２６とに摺動体２６をヘッド本体２６の任意の摺動位置で固定してクラブヘッド２の重心位置を前後に変更する固定手段Ｒが設けられている。【００１４】  固定手段Ｒとしては、摺動体２６における底部で前後方向に延びる中心線上に三つのネジ穴２６ａ，２６ｂ，２６ｃが所定間隔をおいて配設されると共に、ヘッド本体２２の前後方向中間部に段付き孔２２ｂを介してその底部から摺動溝２２ａ側に突出する一つの固定ボルト２７が設けられ、該固定ボルト２７の上記ネジ穴２６ａ，２６ｂ，２６ｃのいずれかへのねじ込みにより摺動体２６のヘッド本体２２に対する固定位置を前後三段に変更可能に固定できるように構成されている。【００１５】  一方、ネック体４は、摺動体２６に固定される取付基部４１と、取付基部４１の上部からクラブフェース面とほぼ平行に延びる第１水平部４２と、第１水平部４２の終端からクラブフェース面に対しほぼ垂直でクラブフェース部２１の上方近くに延びる第２水平部４３と、第２水平部４３の終端から上方に立ち上がる立上部４４とを備えている。つまり、ネック体４は、第１水平部４２と第２水平部４３とで平面視Ｌ型に形成されている。そして、ネック体４における立上部４４の上端には、握り部（図示せず）を備えたシャフト３の下端部が連結されている。【００１６】  また、摺動体２６の底部の後部側には抜止用の凹溝２６ｄが設けられていると共に、ヘッド本体２２における摺動溝２２ａの後端部には凹溝２６ｄに突入して摺動体２６のヘッド本体２２からの抜け落ちを阻止するストッパー２２ｃが突設されている。また、図３において符号２８ａ，２８ｂ，２８ｃは、クラブヘッド２の重心位置が前段、中段、後段のいずれであるか目視により確認するための目印であり、ネック体４の取付基部４１と対応する目印、例えば図３では取付基部４１と対応する目印２８ｂからクラブヘッド２の重心位置が中段に設定されていることを目視により確認できる。
なお、ネック体４と摺動体２６とは例えばネジ止めや溶接により固定したり、或いは一体成形などにより形成してもよい。【００１７】  以上のように、本考案のゴルフパター１は、平面視Ｔ字型のクラブヘッド２で、ネック体４がクラブヘッド２の上部中心線上の後方部に取付けられる構造であるから、重心深度が深めで、ヘッド重量も重めであり、そのため、クラブヘッド２が前に出やすく、つまりインパクト時に重心は未だ後に残っているのでクラブヘッド２がインパクト後前に動く分ボールの転がりがよくなる。したがって、プレーヤーの高度なタッチを必要とすることなく、パターそのものにより仕事をさせることが可能となる。【００１８】  また、摺動体２６の前端上部から上方に起立する取付基部４１と、取付基部４１の上端からクラブフェース面とほぼ平行で水平に延びる第１水平部４２と、第１水平部４２の終端からクラブフェース面に対しほぼ垂直でクラブフェース部の上方近くに延びる第２水平部４３と、第２水平部４３の終端から上方に立ち上がる立上部４４とを備えて平面視Ｌ型を呈しているので、きちんと目標に向けてブレなくブレのない正確なストロークを得ることができながら、摺動体２６の前端上部の取付基部４１における第１支点と、クラブフェース２の上方近くのシャフト３との連結部における第２支点との組合せによる２個所の支点により、スィートエリアを外れてボールを打った場合でも、クラブヘッド２の重心を中心に回転しようしする力を効果的に抑制し、クラブヘッド２が回転しないようにすることができる。【００１９】  しかも、ヘッド本体２２には上面に前後方向に延びる摺動溝２２ａが形成されて、該摺動溝２２ａにネック体４を備えた摺動体２６が前後摺動可能に支持される一方、摺動体２６における底部で前後方向に延びる中心線上に三つのネジ穴２６ａ，２６ｂ，２６ｃが所定間隔をおいて配設されると共に、ヘッド本体２２の前後方向中間部にその底部から摺動溝２２ａ側に突出する一つの固定ボルト２７が設けられ、該固定ボルト２７の上記ネジ穴のいずれかへのねじ込みにより摺動体２６のヘッド本体２２に対する固定位置を前後三段に変更可能に固定できるように構成しているから、摺動体２６のヘッド本体２２に対する固定位置の選択変更により、クラブヘッド２の重心位置を前後三段に変更することができる。これにより、各ゴルフ場のグリーンの芝の状況などによって、クラブヘッドの重心位置を前後三段に変更して３通りの打ち方の中から最適な打ち方を選択することができる。【００２０】  つまり、先ず、図７に示すようにクラブフェース部２１に対し最後方の後段ネジ穴２６ｃにヘッド本体２２側の固定ボルト２７をねじ込んで固定した場合、ネック体４の取付基部４１に対するクラブヘッド２の重心位置が後方側に設定されると共に、ネック体４とシャフト３との取付位置がヘッドフェース部２１の前方に位置することになる。その結果、ボールを打った場合クラブヘッド２が殴打点から前に先行しにくくなる。したがって、グリーンの芝が比較的短い場合になどにおいてプレーヤーのタッチを重視して距離感をきちんと出すのに適している。【００２１】  また、図８に示すようにクラブフェース部２１に対し最前方の前段ネジ穴２６ａ��ヘッド本体２２側の固定ボルト２７をねじ込んで固定した場合、ネック体４の取付基部４１に対するクラブヘッド２の重心位置が前方側に設定されると共に、ネック体４とシャフト３との取付位置がヘッドフェース部２１の後方に位置することになる。その結果、ボールを打った場合クラブヘッド２が殴打点から前に前に出やすく、つまりインパクト時に重心は未だ後に残っているのでクラブヘッド２がインパクト後前に動く分ボールの転がりがよくなる。したがって、例えばグリーンの芝が比較的長い場合になどにおいてプレーヤーの高度なタッチを必要とすることなく、パター１そのものにより仕事をさせることが可能となる。【００２２】  さらに、図６に示すようにクラブフェース部２１に対し真ん中の中段ネジ穴２６ｂにヘッド本体２２側の固定ボルト２７をねじ込んで固定した場合、ネック体４の取付基部４１に対するクラブヘッド２の重心位置が上記した二つのケースの中間位置に設定されることになると共に、ネック体４とシャフト３との取付位置がヘッドフェース部２１のほぼ真上に位置することになる。その結果、ボールを打つ際、ボールを正確にヒットさせ易くなると共に、インパクト時に重心はやや後方に残ることになるのでボールの転がりもよくなり、オーソドックスな打ち方をする場合に適している。【００２３】  また、図９及び図１０は、固定手段Ｒの別の実施の形態を示すもので、上記した実施形態の場合と同様にヘッド本体２２の摺動溝２２ａが断面蟻溝形状に形成されると共に、摺動体２６が上記摺動溝２２ａに沿って摺動する断面蟻溝形状に形成される一方、ヘッド本体２２の前後方向中間部に底面側からのネジ込みにより摺動体２６を摺動溝２２ａの内側壁に圧接固定する締付ボルト２９を備えた構成としたものである。この場合、ヘッド本体２２の前後方向中間部には、段付きネジ孔２２ｃを介してその底部から摺動溝２２ａ側に突出する一つの締付ボルト２９が設けられ、また、摺動体２６の底面中間部には締付ボルト２９の先端部を受け入れるための係合溝２６ｅが前後方向にわたって形成されている。【００２４】  この固定手段Ｒによれば、締付ボルト２９を緩めて摺動体２６を摺動溝２２ａに沿って所定の位置まで摺動させ、その後締付ボルト２９を締め付けることにより、摺動体２６のヘッド本体２２に対する固定位置を無段階に変更することができ、これによりクラブヘッド２の重心位置を前後無段階に変更することができる。したがって、各ゴルフ場のグリーンの芝の状況などによって、クラブヘッド２の重心位置を前後方向に無段階に変更してより繊細なクラブヘッド２の重心位置の設定を選択することができる。その上、摺動体２６のヘッド本体２２に対する固定位置の変更作業も締付ボルト２９を緩めて摺動体２６を所定の位置まで摺動させ、その後締付ボルト２９を締め付けるだけでよいので、簡単容易にかつ迅速に行うことができる。
【図面の簡単な説明】
【００２５】
【図１】    本考案に係るゴルフパターの斜視図である。
【図２】    同ゴルフパターの正面図である。
【図３】    同ゴルフパターの平面図である。
【図４】    同ゴルフパターの一部切り欠き背面図である。
【図５】    同ゴルフパターの底面図である。
【図６】    同ゴルフパターの縦断面図である。
【図７】    摺動体の取付位置を後段に変更した状態の説明図である。
【図８】    摺動体の取付位置を前段に変更した状態の説明図である。
【図９】    固定手段の別の実施の形態を示す縦断面図である。
【図１０】    同一部切り欠き背面図である。
【図１１】    従来例の説明図である。
【図１２】    同平面図である。
【符号の説明】
【００２６】１          ゴルフパター
２          クラブヘッド
３          シャフト
４          ネット体
２１        クラブフェース部
２２        ヘッド本体
２２ａ      摺動溝
２６        摺動体
２６ａ      ネジ穴
２６ｂ      ネジ穴
２６ｃ      ネジ穴
２７        固定ボルト
２９        締付ボルト
【図１】
0003118135.tif 000003
【図２】
0003118135.tif 000004
【図３】
0003118135.tif 000005
【図４】
0003118135.tif 000006
【図５】
0003118135.tif 000007
【図６】
0003118135.tif 000008
【図７】
0003118135.tif 000009
【図８】
0003118135.tif 000010
【図９】
0003118135.tif 000011
【図１０】
0003118135.tif 000012
【図１１】
0003118135.tif 000013
【図１２】
0003118135.tif 000014